(57)【要約】【課題】捨て水の動作を効率的に行い、捨て水の量を低減できるシャワー装置を提供する。【解決手段】複数の分岐配管を有する導水配管部と、前記複数の分岐配管の先端にそれぞれ設けられた複数のシャワー吐水部と、前記複数の分岐配管の途上にそれぞれ設けられ、前記複数のシャワー吐水部からの吐水と止水とを切り替える複数の電磁弁と、前記複数の電磁弁の動作を制御する制御部と、を備え、前記制御部は、前記複数のシャワー吐水部のいずれかから第１の排水量の水を排水させた後、他の前記複数のシャワー吐水部から前記第１の排水量よりも少ない第２の排水量の水を排水させることにより、前記導水配管部内に存在していた水を、前記導水配管部よりも上流側に配置された給湯源から供給される高温の水に置換する捨て水モードを実行することを特徴とするシャワー装置が提供される。【選択図】図３
2010184071.tif 000002
【特許請求の範囲】
【請求項１】
複数の分岐配管を有する導水配管部と、
前記複数の分岐配管の先端にそれぞれ設けられた複数のシャワー吐水部と、
前記複数の分岐配管の途上にそれぞれ設けられ、前記複数のシャワー吐水部からの吐水と止水とを切り替える複数の電磁弁と、
前記複数の電磁弁の動作を制御する制御部と、
を備え、
前記制御部は、前記複数のシャワー吐水部のいずれかから第１の排水量の水を排水させた後、他の前記複数のシャワー吐水部から前記第１の排水量よりも少ない第２の排水量の水を排水させることにより、前記導水配管部内に存在していた水を、前記導水配管部よりも上流側に配置された給湯源から供給される高温の水に置換する捨て水モードを実行することを特徴とするシャワー装置。
【請求項２】
前記導水配管部の途上に設けられ、前記導水配管部内の水の温度を検知する水温検知部をさらに備え、
前記制御部は、前記第１及び第２の排水量の水の少なくともいずれかを排水させる際に、前記電磁弁を開放した時間が第１の所定時間を経過したときと、前記水温検知部が所定温度以上を検知した時間が前記第１の所定時間よりも短い第２の所定時間を経過したときと、のいずれか早いときに前記電磁弁を閉止することを特徴とする請求項１記載のシャワー装置。
【請求項３】
前記捨て水モードを実行させる指令を入力可能な操作部をさらに備え、
前記制御部は、前記操作部に前記指令が入力された場合には、前記電磁弁を閉止させた状態で待機し、前記待機の時間が第３の所定時間を経過したときに前記捨て水モードを実行することを特徴とする請求項１または２に記載のシャワー装置。
【請求項４】
前記待機の時間が前記第３の所定時間を経過するまでの状態を報知することを特徴とする請求項３記載のシャワー装置。
【請求項５】
前記捨て水モードの実行が終了したことを報知することを特徴とする請求項３または４に記載のシャワー装置。
【請求項６】
分岐部から先端までの配管長が異なる複数の分岐配管を有する導水配管部と、
前記複数の分岐配管の先端にそれぞれ設けられた複数のシャワー吐水部と、
前記複数の分岐配管の途上にそれぞれ設けられ、前記複数のシャワー吐水部からの吐水と止水とを切り替える複数の電磁弁と、
前記複数の電磁弁の動作を制御する制御部と、
を備え、
前記制御部は、前記複数のシャワー吐水部からの排水を開始させた後に、前記配管長のより短い前記分岐配管の先端に設けられた前記シャワー吐水部から第３の排水量の水を排水させ、前記配管長のより長い前記分岐配管の先端に設けられた前記シャワー吐水部から前記第３の排水量よりも多い第４の排水量の水を排水させることにより、前記導水配管部内に存在していた水を、前記導水配管部よりも上流側に配置された給湯源から供給される高温の水に置換する捨て水モードを実行することを特徴とするシャワー装置。
【発明の詳細な説明】
【技術分野】
【０００１】
本発明の態様は、一般的に、シャワー装置に関する。
【背景技術】
【０００２】
シャワー装置では、一般的に、シャワー装置を使用した後しばらく使用しないと、給湯機から電磁弁などの開閉弁を介してシャワー吐水部に至るまでの配管内の温水は、時間経過とともに冷えて冷水となる場合がある。そのため、時間がしばらく経過してから再びシャワー装置を使用すると、しばらくはこの配管内に溜まった冷水がシャワー吐水部から吐水され、使用者の身体にかかるおそれがある。
【０００３】
そこで、配管内に存在していた冷水を、給湯機から供給される高温の水に置換する捨て水を行うシャワー装置がある（特許文献１）。しかしながら、特許文献１に記載されたシャワー装置では、複数のシャワー吐水部（噴出口）から同時に捨て水を行うと、捨て水の量が多くなる。すなわち、給湯機からの配管経路が短い場所に設置されたシャワー吐水部では、捨て水の動作がすでに完了し、温水が吐水されているにもかかわらず、給湯機からの配管経路が長い場所に設置されたシャワー吐水部では、捨て水の動作が完了せず、まだ冷水が吐水されている場合がある。
【０００４】
このような場合には、シャワー装置は、捨て水の動作を継続する必要があるため、捨て水の量は多くなる。したがって、特許文献１に記載されたシャワー装置では、捨て水の動作を効率的に行うという点において改善の余地がある。
【先行技術文献】
【特許文献】
【０００５】
【特許文献１】特開２００７−１２５１２７号公報
【発明の概要】
【発明が解決しようとする課題】
【０００６】
本発明の態様は、かかる課題の認識に基づいてなされたものであり、捨て水の動作を効率的に行い、捨て水の量を低減できるシャワー装置を提供する。
【課題を解決するための手段】
【０００７】
本発明の一態様によれば、複数の分岐配管を有する導水配管部と、前記複数の分岐配管の先端にそれぞれ設けられた複数のシャワー吐水部と、前記複数の分岐配管の途上にそれぞれ設けられ、前記複数のシャワー吐水部からの吐水と止水とを切り替える複数の電磁弁と、前記複数の電磁弁の動作を制御する制御部と、を備え、前記制御部は、前記複数のシャワー吐水部のいずれかから第１の排水量の水を排水させた後、他の前記複数のシャワー吐水部から前記第１の排水量よりも少ない第２の排水量の水を排水させることにより、前記導水配管部内に存在していた水を、前記導水配管部よりも上流側に配置された給湯源から供給される高温の水に置換する捨て水モードを実行することを特徴とするシャワー装置が提供される。
【０００８】
また、本発明の他の一態様によれば、分岐部から先端までの配管長が異なる複数の分岐配管を有する導水配管部と、前記複数の分岐配管の先端にそれぞれ設けられた複数のシャワー吐水部と、前記複数の分岐配管の途上にそれぞれ設けられ、前記複数のシャワー吐水部からの吐水と止水とを切り替える複数の電磁弁と、前記複数の電磁弁の動作を制御する制御部と、を備え、前記制御部は、前記複数のシャワー吐水部からの排水を開始させた後に、前記配管長のより短い前記分岐配管の先端に設けられた前記シャワー吐水部から第３の排水量の水を排水させ、前記配管長のより長い前記分岐配管の先端に設けられた前記シャワー吐水部から前記第３の排水量よりも多い第４の排水量の水を排水させることにより、前記導水配管部内に存在していた水を、前記導水配管部よりも上流側に配置された給湯源から供給される高温の水に置換する捨て水モードを実行することを特徴とするシャワー装置が提供される。
【発明の効果】
【０００９】
本発明の態様によれば、捨て水の動作を効率的に行い、捨て水の量を低減できるシャワー装置が提供される。
【図面の簡単な説明】
【００１０】
【図１】本発明の実施の形態にかかるシャワー装置を備えた浴室を例示する斜視模式図である。
【図２】本発明の実施の形態にかかるシャワー装置を備えた浴室を例示する斜視模式図である。
【図３】本実施形態にかかるシャワー装置の構成を例示するブロック図である。
【図４】本実施形態にかかるシャワー装置の動作の具体例を表すフローチャートである。
【図５】本具体例のヘッドシャワーからの捨て水の動作を例示するフローチャートである。
【図６】本具体例のボディシャワーからの捨て水の動作を例示するフローチャートである。
【図７】本具体例のハンドシャワーからの捨て水の動作を例示するフローチャートである。
【図８】本実施形態にかかるシャワー装置の動作の他の具体例を表すフローチャートである。
【図９】本実施形態にかかるシャワー装置の動作のさらに他の具体例を表すフローチャートである。
【図１０】本具体例のボディシャワーからの捨て水の動作を例示するフローチャートである。
【図１１】本具体例のハンドシャワーからの捨て水の動作を例示するフローチャートである。
【図１２】本具体例のヘッドシャワーからの捨て水の動作を例示するフローチャートである。
【図１３】本実施形態にかかるシャワー装置の動作のさらに他の具体例を表すフローチャートである。
【図１４】本実施形態の操作パネルの表示内容について説明する模式図である。
【発明を実施するための形態】
【００１１】
第１の発明は、複数の分岐配管を有する導水配管部と、前記複数の分岐配管の先端にそれぞれ設けられた複数のシャワー吐水部と、前記複数の分岐配管の途上にそれぞれ設けられ、前記複数のシャワー吐水部からの吐水と止水とを切り替える複数の電磁弁と、前記複数の電磁弁の動作を制御する制御部と、を備え、前記制御部は、前記複数のシャワー吐水部のいずれかから第１の排水量の水を排水させた後、他の前記複数のシャワー吐水部から前記第１の排水量よりも少ない第２の排水量の水を排水させることにより、前記導水配管部内に存在していた水を、前記導水配管部よりも上流側に配置された給湯源から供給される高温の水に置換する捨て水モードを実行することを特徴とするシャワー装置である。  
このシャワー装置によれば、捨て水の動作を効率的に行い、捨て水の量を低減することができる。
【００１２】
また、第２の発明は、第１の発明において、前記導水配管部の途上に設けられ、前記導水配管部内の水の温度を検知する水温検知部をさらに備え、前記制御部は、前記第１及び第２の排水量の水の少なくともいずれかを排水させる際に、前記電磁弁を開放した時間が第１の所定時間を経過したときと、前記水温検知部が所定温度以上を検知した時間が前記第１の所定時間よりも短い第２の所定時間を経過したときと、のいずれか早いときに前記電磁弁を閉止することを特徴とするシャワー装置である。  
このシャワー装置によれば、設定された捨て水の動作時間を経過する前であっても、捨て水の動作を終了することができる。そのため、捨て水の動作をより効率的に行い、捨て水の量をより低減することができる。
【００１３】
また、第３の発明は、第１または第２の発明において、前記捨て水モードを実行させる指令を入力可能な操作部をさらに備え、前記制御部は、前記操作部に前記指令が入力された場合には、前記電磁弁を閉止させた状態で待機し、前記待機の時間が第３の所定時間を経過したときに前記捨て水モードを実行することを特徴とするシャワー装置である。  
このシャワー装置によれば、例えば、使用者が操作部を操作することにより捨て水の動作を入力した場合であっても、直ぐに捨て水が実行されることはない。そのため、使用者に冷水がかかることを防止することができる。
【００１４】
また、第４の発明は、第３の発明において、前記待機の時間が前記第３の所定時間を経過するまでの状態を報知することを特徴とするシャワー装置である。  
このシャワー装置によれば、使用者は、捨て水が排出されるタイミングを認識することができ、その捨て水が使用者自身にかかることを回避できる。
【００１５】
また、第５の発明は、第３または第４の発明において、前記捨て水モードの実行が終了したことを報知することを特徴とするシャワー装置である。  
このシャワー装置によれば、使用者は、捨て水の実行が終了し、シャワー吐水部からの吐水が可能な状態であることを認識することができる。
【００１６】
また、第６の発明は、分岐部から先端までの配管長が異なる複数の分岐配管を有する導水配管部と、前記複数の分岐配管の先端にそれぞれ設けられた複数のシャワー吐水部と、前記複数の分岐配管の途上にそれぞれ設けられ、前記複数のシャワー吐水部からの吐水と止水とを切り替える複数の電磁弁と、前記複数の電磁弁の動作を制御する制御部と、を備え、前記制御部は、前記複数のシャワー吐水部からの排水を開始させた後に、前記配管長のより短い前記分岐配管の先端に設けられた前記シャワー吐水部から第３の排水量の水を排水させ、前記配管長のより長い前記分岐配管の先端に設けられた前記シャワー吐水部から前記第３の排水量よりも多い第４の排水量の水を排水させることにより、前記導水配管部内に存在していた水を、前記導水配管部よりも上流側に配置された給湯源から供給される高温の水に置換する捨て水モードを実行することを特徴とするシャワー装置である。  
このシャワー装置によれば、複数の電磁弁を開放して捨て水を実行するため、複数のシャワー吐水部のそれぞれから排出される捨て水の水量は、より低下する。そのため、捨て水の動作の際の水跳ねを低減することができる。また、捨て水の動作を効率的に行い、捨て水の量を低減することができる。
【００１７】
以下、本発明の実施の形態について図面を参照しつつ説明する。なお、各図面中、同様の構成要素には同一の符号を付して詳細な説明は適宜省略する。  
図１および図２は、本発明の実施の形態にかかるシャワー装置を備えた浴室を例示する斜視模式図である。  
なお、図２は、浴室の壁面の一部を省略し、本実施形態にかかるシャワー装置が設けられた部分の壁の内部を表している。
【００１８】
本実施形態にかかるシャワー装置１００は、内部に空間を有する筐体１０１と、使用者が吐水温度を調整可能な温調操作部１１０と、使用者が吐水流量などを調整可能な操作パネル（操作部）１２０と、後述する導水配管部からの湯水を吐水するボディシャワー（シャワー吐水部）１３０、ヘッドシャワー（シャワー吐水部）１４０、およびハンドシャワー（シャワー吐水部）１５０と、を備える。筐体１０１の内部には、後に詳述する電磁弁などが設けられている。また、温調操作部１１０と、操作パネル１２０と、ボディシャワー１３０と、ヘッドシャワー１４０と、ハンドシャワー１５０と、の少なくとも一部は、図１に表したように浴室の壁面１０から前側に露出している。言い換えれば、温調操作部１１０、操作パネル１２０、ボディシャワー１３０、ヘッドシャワー１４０、およびハンドシャワー１５０以外のシャワー装置１００の部分は、浴室の壁面１０の後側（裏側）に設けられている。
【００１９】
シャワー装置１００は、下端部において給湯源４１０（図３参照）からの配管に接続されており、その給湯源４１０から加熱された湯が供給される。これと同様に、シャワー装置１００は、下端部において給水源４２０（図３参照）からの配管に接続されており、その給水源４２０から水が供給される。そのため、本実施形態にかかるシャワー装置１００は、ボディシャワー１３０、ヘッドシャワー１４０、およびハンドシャワー１５０から水や加熱された湯を吐水できる。
【００２０】
ボディシャワー１３０は、壁面１０から前側に露出しているため、壁面１０の前側に吐水できる。つまり、使用者は、壁面１０の前に立ったり座ったりすることにより、ボディシャワー１３０からの湯水を身体に浴びることができる。また、ヘッドシャワー１４０は、ボディシャワー１３０の上側の壁面１０に設置されているため、ボディシャワー１３０の上側から下側に吐水できる。つまり、使用者は、壁面１０の前に立ったり座ったりすることにより、ボディシャワー１３０からの湯水を頭上から身体に浴びることができる。また、ハンドシャワー１５０は、柔軟性を有するホースの先端に設けられている。そのため、使用者はハンドシャワー１５０を手に持って移動させることにより、ハンドシャワー１５０からの湯水を意図した箇所に吐水できる。なお、本願明細書において「水」という場合には、冷水のみならず、加熱されたお湯も含むものとする。
【００２１】
使用者は、温調操作部１１０を操作することにより、ボディシャワー１３０、ヘッドシャワー１４０、およびハンドシャワー１５０から吐水される水の温度（吐水温度）を調整できる。また、使用者は、操作パネル１２０を操作することにより、ボディシャワー１３０、ヘッドシャワー１４０、およびハンドシャワー１５０から吐水される水の流量（吐水流量）を調整できる。
【００２２】
また、使用者は、操作パネル１２０を操作することにより、ボディシャワー１３０からの吐水箇所を制御することもできる。例えば、使用者は、図１および図２に表した上段のボディシャワー１３０を止水し、中段および下段のボディシャワー１３０から吐水させることができる。これにより、成人男性よりも背の低い子供や女性、あるいは座った状態で使用する使用者などは、上段のボディシャワー１３０からの水が不本意に顔にかかることを防止できる。なお、本実施形態では、６つのボディシャワー１３０が設けられた場合を例に挙げて説明するが、ボディシャワー１３０の設置数は、これだけに限定されない。ボディシャワー１３０の設置数は、例えば４つであってもよいし９つであってもよい。
【００２３】
図３は、本実施形態にかかるシャワー装置の構成を例示するブロック図である。  
図３に表したように、まず、給湯源４１０からの加熱された湯は、導水配管部３１０の内部に導かれ、サーモ１１５に供給される。一方、給水源４２０からの水は、導水配管部３２０の内部に導かれ、サーモ１１５に供給される。そして、サーモ１１５は、使用者からの温調操作部１１０の操作に基づいて加熱された湯と水とを混合し、その混合水を設定温度に保持する。なお、サーモ１１５は、温調操作部１１０に対して機械的に接続されていてもよいし、電気的に接続されていてもよい。
【００２４】
続いて、サーモ１１５からの水は、導水配管部１８０によりシャワー装置１００の内部に導かれる。その導水配管部１８０は、下流側において分岐配管１８１、１８２、１８３、１８４に分岐されている。より具体的には、導水配管部１８０は、分岐部１８１ａ、１８２ａ、１８３ａ、１８４ａにおいて分岐配管１８１、１８２、１８３、１８４にそれぞれ分岐されている。また、分岐配管１８４は、下流側において分岐配管１８５にさらに分岐されている。より具体的には、分岐配管１８４は、分岐部１８５ａにおいて分岐配管１８５にさらに分岐されている。つまり、導水配管部１８０は、分岐配管１８１、１８２、１８３、１８４、１８５を有する。なお、本実施形態にかかるシャワー装置１００において、給湯源４１０からの配管経路の長さについては、ヘッドシャワー１４０に向かう配管経路が最も長い。続いて、ハンドシャワー１５０に向かう配管経路がヘッドシャワー１４０に次いで長く、ボディシャワー１３０に向かう配管経路が最も短い。
【００２５】
但し、配管経路の長さについては、これだけに限定されるわけではなく、ボディシャワー１３０に向かう配管経路が最も長くともよい。以下、説明の便宜上、ヘッドシャワー１４０に向かう配管経路が最も長く、ハンドシャワー１５０に向かう配管経路がヘッドシャワー１４０に次いで長く、ボディシャワー１３０に向かう配管経路が最も短い場合を例に挙げて説明する。
【００２６】
導水配管部１８０の途上には、導水配管部１８０を流れる水の水温を検知する温度センサ（水温検知部）１７６と、導水配管部１８０を流れる水の水量（流量）を検知する水量センサ１７７と、導水配管部１８０を流れる水の水量を調整する水量比例弁１７８と、が設置されている。なお、温度センサ１７６としては、例えばサーミスタなどである。
【００２７】
ここで、操作パネル１２０は、制御部１６０を内蔵する。そして、温度センサ１７６および水量センサ１７７は、検知結果（水温、水量）を検知信号として制御部１６０に送信する。また、制御部１６０は、使用者からの吐水流量に関する操作内容などに基づいて、水量比例弁１７８に制御信号を送信し、水量比例弁１７８の動作を制御する。
【００２８】
分岐配管１８１の途上には、電磁弁１７１が設置され、分岐配管１８１の先端（下流端）には、ヘッドシャワー１４０が設置されている。制御部１６０は、使用者からの吐水箇所に関する操作内容などに基づいて、電磁弁１７１に制御信号を送信し、電磁弁１７１の動作を制御できる。そして、電磁弁１７１が開放されると、導水配管部１８０および分岐配管１８１の内部を導水された水は、ヘッドシャワー１４０から吐水される。
【００２９】
分岐配管１８２の途上には、電磁弁１７２が設置され、分岐配管１８２の先端（下流端）には、上段のボディシャワー１３０が設置されている。制御部１６０は、使用者からの吐水箇所に関する操作内容などに基づいて、電磁弁１７２に制御信号を送信し、電磁弁１７２の動作を制御できる。そして、電磁弁１７２が開放されると、導水配管部１８０および分岐配管１８２の内部を導水された水は、上段のボディシャワー１３０から吐水される。
【００３０】
分岐配管１８３の途上には、電磁弁１７３が設置され、分岐配管１８３の先端（下流端）には、ハンドシャワー１５０が設置されている。制御部１６０は、使用者からの吐水箇所に関する操作内容などに基づいて、電磁弁１７３に制御信号を送信し、電磁弁１７３の動作を制御できる。そして、電磁弁１７３が開放されると、導水配管部１８０および分岐配管１８３の内部を導水された水は、ハンドシャワー１５０から吐水される。
【００３１】
分岐配管１８４の途上には、電磁弁１７４が設置され、分岐配管１８４の先端には、中段のボディシャワー１３０が設置されている。また、前述したように、分岐配管１８４は、下流側において分岐配管１８５にさらに分岐されており、その分岐配管１８５の先端には、下段のボディシャワー１３０が設置されている。制御部１６０は、使用者からの吐水箇所に関する操作内容などに基づいて、電磁弁１７４に制御信号を送信し、電磁弁１７４の動作を制御できる。そして、電磁弁１７４が開放されると、導水配管部１８０および分岐配管１８４、１８５の内部を導水された水は、中段および下段のボディシャワー１３０から吐水される。また、シャワー装置１００は、電源部１９０を備える。この電源部１９０は、制御部１６０を介して電磁弁１７１や操作パネル１２０などに電力を供給する。
【００３２】
ここで、使用者がシャワー装置１００を使用し、ボディシャワー１３０、ヘッドシャワー１４０、およびハンドシャワー１５０から加熱された湯（温水）が吐水されている場合、導水配管部３１０、１８０と、分岐配管１８１、１８２、１８３、１８４と、の内部には、温水が存在している。一方、使用者がシャワー装置１００の使用を止め、時間がしばらく経過すると、導水配管部３１０、１８０と、分岐配管１８１、１８２、１８３、１８４と、の内部の温水は時間経過とともに冷えて冷水となる場合がある。
【００３３】
そのため、使用者がシャワー装置１００の使用を止め、時間がしばらく経過してから再びシャワー装置１００を使用すると、導水配管部３１０、１８０と、分岐配管１８１、１８２、１８３、１８４と、の内部に溜まった冷水は、ボディシャワー１３０やヘッドシャワー１４０やハンドシャワー１５０などから吐水され、使用者の身体にかかるおそれがある。
【００３４】
そこで、本実施形態にかかるシャワー装置１００は、使用者がシャワー装置１００を使用する前に、捨て水モード（以下、単に「捨て水」ともいう）の動作を行うことができる。そして、捨て水の動作中では、導水配管部３１０、１８０と、分岐配管１８１、１８２、１８３、１８４と、の内部に溜まった冷水は、ボディシャワー１３０、ヘッドシャワー１４０、およびハンドシャワー１５０から排出される。
【００３５】
ここで、ボディシャワー１３０、ヘッドシャワー１４０、およびハンドシャワー１５０から同時に捨て水を開始し、同時に捨て水を終了すると、捨て水の量が多くなる。すなわち、給湯源４１０からの配管経路が短い場所に設置されたボディシャワー１３０では、捨て水の動作により、すでに温水が吐水されているにもかかわらず、給湯源４１０からの配管経路が長い場所に設置されたヘッドシャワー１４０では、まだ冷水が吐水されている場合がある。
【００３６】
これは、給湯源４１０からの配管経路の長さの相違だけではなく、ボディシャワー１３０、ヘッドシャワー１４０、およびハンドシャワー１５０の形状の相違によっても生ずる。つまり、ボディシャワー１３０、ヘッドシャワー１４０、およびハンドシャワー１５０の形状が相違すると、それぞれのシャワーに生ずる圧力損失が相違する。圧力損失が相違すると、ボディシャワー１３０、ヘッドシャワー１４０、およびハンドシャワー１５０からの捨て水の水量が相違する。その結果、いずれかのシャワーからはすでに温水が吐水されているにもかかわらず、他のいずれかのシャワーからはまだ冷水が吐水されている場合がある。そのため、ボディシャワー１３０、ヘッドシャワー１４０、およびハンドシャワー１５０から同時に捨て水を開始し、同時に捨て水を終了すると、捨て水の動作を効率的に行うことが困難である。
【００３７】
これに対して、本実施形態にかかるシャワー装置１００は、ボディシャワー１３０、ヘッドシャワー１４０、およびハンドシャワー１５０からの捨て水の開始および終了の少なくともいずれかのタイミングをずらすことができる。これによれば、捨て水の動作を効率的に行い、捨て水の量を低減することができる。以下、本実施形態にかかるシャワー装置１００の捨て水の動作の具体例について、図面を参照しつつ説明する。
【００３８】
図４は、本実施形態にかかるシャワー装置の動作の具体例を表すフローチャートである。  
まず、使用者が操作パネル１２０に表示された「捨て水」スイッチを押すと（ステップＳ１０１）、まず電磁弁１７１、１７２、１７３、１７４を閉じたままの状態で待機する。より具体的には、まず待機時間のカウントダウンを開始する（ステップＳ１０３）。そして、制御部１６０は、電磁弁１７１、１７２、１７３、１７４を閉じたままの待機時間が所定時間（第３の所定温度：例えば１０秒間）を経過したか否かを判断する（ステップＳ１０５）。続いて、待機時間が所定時間を経過した場合には（ステップＳ１０５：ＹＥＳ）、配管経路が長いヘッドシャワー１４０からの捨て水の動作を行う（ステップＳ１１０）。
【００３９】
このように、使用者が操作パネル１２０に表示された「捨て水」スイッチを押した場合には、直ぐに電磁弁１７１を開放することなく所定時間だけ電磁弁１７１、１７２、１７３、１７４を閉じたままの状態で待機するため、シャワー装置１００は、使用者に冷水がかかることを防止できる。なお、操作パネル１２０の表示内容については、図１４に関して後述する。
【００４０】
さらに、本実施形態にかかるシャワー装置１００は、電磁弁１７１、１７２、１７３、１７４を閉じたままの状態から捨て水が排出されるまでの時間を報知することができる。つまり、シャワー装置１００は、待機時間のカウントダウンの経過を報知できる。この報知方法は、例えば音や光や操作パネルの表示などによるものである。そのため、使用者は、捨て水が排出されるタイミングを認識することができ、ヘッドシャワー１４０からの冷水が使用者自身にかかることを回避できる。なお、待機時間のカウントダウンの経過の報知方法については、図１４に関して後述する。
【００４１】
ヘッドシャワー１４０からの捨て水の動作は、電磁弁１７１が開放されることにより開始され、捨て水の動作時間あるいは温度センサ１７６の検知温度に基づいて電磁弁１７１が閉止されることにより終了する。このヘッドシャワー１４０からの捨て水の動作については、図５に関して後述する。
【００４２】
続いて、ヘッドシャワー１４０からの捨て水の動作が終了すると、ボディシャワー１３０からの捨て水の動作を行う（ステップＳ１４０）。このとき、ヘッドシャワー１４０からの捨て水の動作により、導水配管部３１０および導水配管部１８０の内部の残水（冷水）は、給湯源４１０から供給された温水に置換されている。そのため、ボディシャワー１３０からの捨て水の動作では、分岐配管１８２、１８４、１８５の内部の残水を給湯源４１０から供給される温水に置換すればよい。さらに、分岐配管１８２、１８４、１８５の長さは、導水配管部３１０、１８０および分岐配管１８１の合計長さよりも短い。
【００４３】
そのため、ヘッドシャワー１４０からの捨て水の量（第１の排水量）よりも少ない量（第２の排水量）を排出することにより、ボディシャワー１３０からの捨て水の動作を終了することができる。また、ボディシャワー１３０からの捨て水の動作時間を、ヘッドシャワー１４０からの捨て水の動作時間よりも短縮することができる。したがって、本実施形態にかかるシャワー装置１００は、ボディシャワー１３０からの捨て水の動作を効率的に行い、捨て水の量を低減できる。なお、ボディシャワー１３０からの捨て水の動作については、図６に関して後述する。
【００４４】
続いて、ボディシャワー１３０からの捨て水の動作が終了すると、ハンドシャワー１５０からの捨て水の動作を行う（ステップＳ１７０）。このとき、前述したように、ヘッドシャワー１４０からの捨て水の動作により、導水配管部３１０および導水配管部１８０の内部の残水は、温水に置換されている。そのため、ハンドシャワー１５０からの捨て水の動作では、分岐配管１８３の内部の残水を温水に置換すればよい。さらに、分岐配管１８３の長さは、導水配管部３１０、１８０および分岐配管１８１の合計長さよりも短い。
【００４５】
そのため、ヘッドシャワー１４０からの捨て水の量（第１の排水量）よりも少ない量（第２の排水量）を排出することにより、ハンドシャワー１５０からの捨て水の動作を終了することができる。また、ハンドシャワー１５０からの捨て水の動作時間を、ヘッドシャワー１４０からの捨て水の動作時間よりも短縮することができる。したがって、本実施形態にかかるシャワー装置１００は、ハンドシャワー１５０からの捨て水の動作を効率的に行い、捨て水の量を低減できる。なお、ハンドシャワー１５０からの捨て水の動作については、図７に関して後述する。
【００４６】
続いて、ハンドシャワー１５０からの捨て水の動作が終了すると、シャワー装置１００は、捨て水の動作を終了させ、ボディシャワー１３０、ヘッドシャワー１４０、およびハンドシャワー１５０の少なくともいずれかからの吐水が可能な待機状態となる（ステップＳ１０７）。このとき、本実施形態にかかるシャワー装置１００は、捨て水の動作が終了し、吐水が可能な待機状態となったことを報知できる。つまり、シャワー装置１００は、残水（冷水）の排出が終了し、温水を吐水可能であることを報知できる。この報知方法は、前述したように、例えば音や光や操作パネルの表示などによるものである。この報知方法については、図１４に関して後述する。
【００４７】
以上説明したように、本実施形態にかかるシャワー装置１００は、ボディシャワー１３０、ヘッドシャワー１４０、およびハンドシャワー１５０からの捨て水の動作を同時ではなく個別に行うことができる。そのため、例えば、ボディシャワー１３０ではすでに温水が吐水されているにもかかわらず、ヘッドシャワー１４０ではまだ冷水が吐水されているために、シャワー装置１００の捨て水の動作を終了できないという状態を回避できる。したがって、本実施形態にかかるシャワー装置１００は、捨て水の動作を効率的に行い、捨て水の量および動作時間を低減できる。
【００４８】
また、本実施形態にかかるシャワー装置１００は、まずヘッドシャワー１４０からの捨て水の動作を行うため、捨て水の動作の初期において浴室のドアや、壁面１０に対向した壁面に向かって水跳ねすることを抑制できる。そのため、捨て水の動作の初期において、排出された水（捨て水）が使用者にかかることを抑制することができる。
【００４９】
なお、図４に表したフローチャートでは、ヘッドシャワー１４０と、ボディシャワー１３０と、ハンドシャワー１５０と、の順序で捨て水の動作を行う場合を例に挙げて説明したが、これだけに限定されるわけではない。例えば、給湯源４１０からの配管経路の長さが長い順序に従い、ヘッドシャワー１４０からの捨て水の動作を行った後に、ハンドシャワー１５０と、ボディシャワー１３０と、の順序で捨て水の動作を行ってもよい。あるいは、給湯源４１０からの配管経路の長さが短い順序に従い、ボディシャワー１３０と、ハンドシャワー１５０と、ヘッドシャワー１４０と、の順序で捨て水の動作を行ってもよい。これらによっても、捨て水の動作を効率的に行い、捨て水の量および動作時間を低減することができる。
【００５０】
次に、本具体例のヘッドシャワー１４０と、ボディシャワー１３０と、ハンドシャワー１５０と、からの捨て水の動作の詳細ついて、図面を参照しつつ説明する。  
図５は、本具体例のヘッドシャワーからの捨て水の動作を例示するフローチャートである。
【００５１】
ヘッドシャワー１４０からの捨て水の動作が開始されると、制御部１６０は、まず捨て水の動作時間のカウントダウンを開始し（ステップＳ１１３）、電磁弁１７１を開放する（ステップＳ１１４）。これにより、導水配管部３１０、１８０および分岐配管１８１の内部の残水が、ヘッドシャワー１４０から捨て水として排出される（ステップＳ１１５）。
【００５２】
続いて、水量比例弁１７８は、制御部１６０からの制御信号に基づき、導水配管部１８０を導水される水の水量を調整する（ステップＳ１１６）。このときの水量は、例えば約１０リットル／分程度である。続いて、制御部１６０は、水量センサ１７７からの検知結果（水量）が所定流量以上であるか否かを判断する（ステップＳ１１７）。この所定流量は、例えば３リットル／分程度である。水量センサ１７７からの検知結果が所定流量以上である場合には（ステップＳ１１７：ＹＥＳ）、制御部１６０は、温度センサ１７６からの検知結果（水温）が所定温度以上であるか否かを判断する（ステップＳ１１８）。この所定温度は、例えば約４０℃程度である。
【００５３】
温度センサ１７６からの検知結果が所定温度以上である場合には（ステップＳ１１８：ＹＥＳ）、その所定温度以上の継続時間のカウントダウンを開始する（ステップＳ１１９）。続いて、制御部１６０は、その継続時間が所定時間（第２の所定時間：例えば１５秒間）を経過したか否かを判断する（ステップＳ１２１）。所定温度以上の継続時間が所定時間を経過した場合には（ステップＳ１２１：ＹＥＳ）、制御部１６０は、電磁弁１７１を閉止する（ステップＳ１２３）。これにより、ヘッドシャワー１４０からの捨て水の動作が終了する（ステップＳ１２４）。
【００５４】
一方、ステップＳ１１８において、温度センサ１７６からの検知結果が所定温度以上でない場合には（ステップＳ１１８：ＮＯ）、制御部１６０は、所定温度以上の継続時間に関する所定時間（１５秒間）をリスタートし（ステップＳ１２０）、捨て水の動作時間が所定時間（第１の所定時間：例えば３０秒間）を経過したか否かを判断する（ステップＳ１２２）。これと同様に、ステップＳ１２１において、所定温度以上の継続時間が所定時間を経過していない場合には（ステップＳ１２１：ＮＯ）、制御部１６０は、捨て水の動作時間が所定時間を経過したか否かを判断する（ステップＳ１２２）。そして、捨て水の動作時間が所定時間を経過した場合には（ステップＳ１２２：ＹＥＳ）、制御部１６０は、電磁弁１７１を閉止する（ステップＳ１２３）。これにより、ヘッドシャワー１４０からの捨て水の動作が終了する（ステップＳ１２４）。
【００５５】
以上説明したように、本具体例にかかるシャワー装置１００は、導水配管部１８０を導水される水が所定流量以上であって、所定温度以上である継続時間が所定時間（例えば１５秒間）を経過すると、電磁弁１７１を閉止してヘッドシャワー１４０からの捨て水の動作を終了する。あるいは、本具体例にかかるシャワー装置１００は、捨て水の動作時間が所定時間（例えば３０秒間）を経過すると、電磁弁１７１を閉止してヘッドシャワー１４０からの捨て水の動作を終了する。すなわち、本具体例にかかるシャワー装置１００は、所定温度以上である継続時間が所定時間（例えば１５秒間）を経過したときと、捨て水の動作時間が所定時間（例えば３０秒間）を経過したときと、のいずれか早いときに電磁弁１７１を閉止してヘッドシャワー１４０からの捨て水の動作を終了できる。
【００５６】
このとき、所定温度以上である継続時間が所定時間（例えば１５秒間）を経過したか否かの判断の方が、捨て水の動作時間が所定時間（例えば３０秒間）を経過したか否かの判断よりも優先的に行われる。すなわち、捨て水の水温の方が、捨て水の動作時間よりも優先的に判断される。
【００５７】
これによれば、ヘッドシャワー１４０から温水が吐水されると、設定された動作時間を経過する前に、捨て水の動作を終了することができる。そのため、ヘッドシャワー１４０からの捨て水の動作をより効率的に行い、捨て水の量をより低減することができる。なお、温度センサ１７６は、導水配管部１８０の途上に設置されているため、ヘッドシャワー１４０から吐水される水の温度を直接的に検知しているわけではない。そのため、所定温度以上である継続時間に関する所定時間（例えば１５秒間）は、温度センサ１７６が所定温度を検知してから、温度センサ１７６よりも下流側の導水配管部１８０と、分岐配管１８１と、の内部の残水がヘッドシャワー１４０から全て排出されるまでの時間を想定した時間である。したがって、所定温度以上である継続時間に関する所定時間（例えば１５秒間）については、適宜変更することができる。
【００５８】
また、使用者からの温調操作部１１０の操作によっては、サーモ１１５からの水の設定温度が、ステップＳ１１８における所定温度（例えば４０℃）よりも低い場合がある。この場合には、温度センサ１７６は、導水配管部１８０を導水される水が所定温度（例えば４０℃）以上になることを検知できない。この場合には、捨て水の動作時間が所定時間（例えば３０秒間）を経過したときに、制御部１６０は、電磁弁１７１を閉止できる。これにより、シャワー装置１００は、ヘッドシャワー１４０からの捨て水の動作をより確実に終了できる。なお、捨て水の動作時間に関する所定時間（例えば３０秒間）については、適宜変更することができる。
【００５９】
図６は、本具体例のボディシャワーからの捨て水の動作を例示するフローチャートである。  
ボディシャワー１３０からの捨て水の動作では、捨て水の動作時間に関する所定時間（例えば１５秒間）は、図５に関して前述したヘッドシャワー１４０からの捨て水の動作における所定時間（例えば３０秒間）よりも短い（ステップＳ１４３およびステップＳ１５２）。また、所定温度以上である継続時間に関する所定時間（例えば５秒間）は、図５に関して前述したヘッドシャワー１４０からの捨て水の動作における所定時間（例えば１５秒間）よりも短い（ステップＳ１４９、ステップＳ１５０、およびステップＳ１５１）。
【００６０】
そして、制御部１６０は、所定温度以上である継続時間が所定時間（例えば５秒間）を経過したときと、捨て水の動作時間が所定時間（例えば１５秒間）を経過したときと、のいずれか早いときに電磁弁１７２、１７４を閉止し（ステップＳ１５３）、ボディシャワー１３０からの捨て水の動作を終了させる（ステップＳ１５４）。なお、水量比例弁１７８により調整される水量は、例えば約１７リットル／分程度である。その他の動作については、図４に関して前述した動作と同様である。
【００６１】
これによれば、ボディシャワー１３０からの捨て水の動作時間を、ヘッドシャワー１４０からの捨て水の動作時間よりも短縮することができる。すなわち、ボディシャワー１３０からの捨て水の量を、ヘッドシャワー１４０からの捨て水の量よりも少なくすることができる。
【００６２】
これは、図４に関して前述したように、ヘッドシャワー１４０からの捨て水の動作により、導水配管部３１０および導水配管部１８０の内部の残水は、温水に置換されているためである。さらに、分岐配管１８２、１８４、１８５の長さは、導水配管部３１０、１８０および分岐配管１８１の合計長さよりも短いためである。したがって、ボディシャワー１３０からの捨て水の動作をより効率的に行い、捨て水の量をより低減することができる。また、図５に関して前述した効果と同様の効果を得ることができる。
【００６３】
図７は、本具体例のハンドシャワーからの捨て水の動作を例示するフローチャートである。  
ハンドシャワー１５０からの捨て水の動作では、捨て水の動作時間に関する所定時間（例えば１５秒間）は、ヘッドシャワー１４０からの捨て水の動作における所定時間（例えば３０秒間）よりも短い（ステップＳ１７３およびステップＳ１８２）。また、所定温度以上である継続時間に関する所定時間（例えば５秒間）は、ヘッドシャワー１４０からの捨て水の動作における所定時間（例えば１５秒間）よりも短い（ステップＳ１７９、ステップＳ１８０、およびステップＳ１８１）。
【００６４】
そして、制御部１６０は、所定温度以上である継続時間が所定時間（例えば５秒間）を経過したときと、捨て水の動作時間が所定時間（例えば１５秒間）を経過したときと、のいずれか早いときに電磁弁１７３を閉止し（ステップＳ１８３）、ハンドシャワー１５０からの捨て水の動作を終了させる（ステップＳ１８４）。なお、水量比例弁１７８により調整される水量は、例えば約８リットル／分程度である。その他の動作については、図４に関して前述した動作と同様である。
【００６５】
これによれば、ハンドシャワー１５０からの捨て水の動作時間を、ヘッドシャワー１４０からの捨て水の動作時間よりも短縮することができる。すなわち、ハンドシャワー１５０からの捨て水の量を、ヘッドシャワー１４０からの捨て水の量よりも少なくすることができる。
【００６６】
これは、図４に関して前述したように、ヘッドシャワー１４０からの捨て水の動作により、導水配管部３１０および導水配管部１８０の内部の残水は、温水に置換されているためである。さらに、分岐配管１８３の長さは、導水配管部３１０、１８０および分岐配管１８１の合計長さよりも短いためである。したがって、ハンドシャワー１５０からの捨て水の動作をより効率的に行い、捨て水の量をより低減することができる。また、図５に関して前述した効果と同様の効果を得ることができる。
【００６７】
次に、本実施形態にかかるシャワー装置１００の捨て水の動作の他の具体例について、図面を参照しつつ説明する。  
図８は、本実施形態にかかるシャワー装置の動作の他の具体例を表すフローチャートである。
【００６８】
図４〜図７に関して前述した具体例では、ボディシャワー１３０、ヘッドシャワー１４０、およびハンドシャワー１５０からの捨て水の動作をそれぞれ個別に行っているが、本具体例では、電磁弁１７１、１７２、１７３、１７４を同時に開放し、それぞれの捨て水の動作を同時に開始する。そして、制御部１６０は、分岐部１８１ａ、１８２ａ、１８３ａ、１８４ａ（図３参照）からシャワー吐水部（ボディシャワー１３０、ヘッドシャワー１４０、およびハンドシャワー１５０）までの配管経路の長さに応じて適宜設定された動作時間に基づき、電磁弁１７１、１７２、１７３、１７４を個別に閉止し、それぞれの捨て水の動作を個別に終了させる。
【００６９】
すなわち、本具体例の動作は、分岐部１８１ａ、１８２ａ、１８３ａ、１８４ａからシャワー吐水部（ボディシャワー１３０、ヘッドシャワー１４０、およびハンドシャワー１５０）までの配管経路の長さが異なる場合に有効である。本具体例の捨て水の動作について、図８に表したフローチャートを参照しつつ説明する。なお、本具体例においては、分岐部１８１ａからヘッドシャワー１４０までの配管経路の長さが、分岐部１８２ａからハンドシャワー１５０までの配管経路の長さ、および分岐部１８３ａ、１８４ａからボディシャワー１３０までの配管経路の長さよりも長い場合を例に挙げて説明する。
【００７０】
まず、使用者が操作パネル１２０に表示された「捨て水」スイッチを押すと（ステップＳ２０１）、電磁弁１７１、１７２、１７３、１７４を閉じたままの状態で待機する（ステップＳ２０３およびステップＳ２０５）。この待機動作は、図４に関して前述したステップＳ１０３およびステップＳ１０５の待機動作と同様である。
【００７１】
続いて、待機時間が所定時間（例えば１０秒間）を経過した場合には（ステップＳ２０５：ＹＥＳ）、制御部１６０は、捨て水の動作時間のカウントダウンを開始し（ステップＳ２０７）、電磁弁１７１、１７２、１７３、１７４を全て開放する（ステップＳ２０９）。これにより、ボディシャワー１３０、ヘッドシャワー１４０、およびハンドシャワー１５０からの捨て水の動作が同時に開始され、導水配管部３１０、１８０および分岐配管１８１、１８２、１８３、１８４、１８５の内部の残水が捨て水としてそれぞれ排出される（ステップＳ２１１）。
【００７２】
続いて、制御部１６０は、図５に関して前述したステップＳ１１６と同様に、水量比例弁１７８の動作を制御して導水配管部１８０を導水される水の水量を調整し（ステップＳ２１３）、捨て水の動作時間が所定時間（例えば１７秒間）を経過したか否かを判断する（ステップＳ２１５）。そして、捨て水の動作時間が所定時間を経過した場合には（ステップＳ２１５：ＹＥＳ）、制御部１６０は、電磁弁１７２、１７３、１７４を閉止し、ボディシャワー１３０およびハンドシャワー１５０からの捨て水の動作を終了させる（ステップＳ２１７）。
【００７３】
続いて、制御部１６０は、捨て水の動作時間が所定時間（例えば３２秒間）を経過したか否かを判断する（ステップＳ２１９）。そして、捨て水の動作時間が所定時間を経過した場合には（ステップＳ２１９：ＹＥＳ）、制御部１６０は、電磁弁１７１を閉止し、ヘッドシャワー１４０からの捨て水の動作を終了させる（ステップＳ２２１）。これにより、シャワー装置１００は、捨て水の動作を終了させ、ボディシャワー１３０、ヘッドシャワー１４０、およびハンドシャワー１５０の少なくともいずれかからの吐水が可能な待機状態となる（ステップＳ２２３）。
【００７４】
以上説明したように、本具体例にかかるシャワー装置１００は、ボディシャワー１３０、ヘッドシャワー１４０、およびハンドシャワー１５０からの捨て水の動作を同時に開始し、一方で、分岐部１８１ａ、１８２ａ、１８３ａ、１８４ａからシャワー吐水部（ボディシャワー１３０、ヘッドシャワー１４０、およびハンドシャワー１５０）までの配管経路の長さに応じて適宜設定された動作時間に基づき、それぞれの捨て水の動作を個別に終了させる。つまり、それぞれのシャワーからの捨て水の動作を終了させるタイミングをずらすことができる。
【００７５】
そのため、ボディシャワー１３０およびハンドシャワー１５０からの捨て水の動作時間を、ヘッドシャワー１４０からの捨て水の動作時間よりも短縮することができる。すなわち、ボディシャワー１３０およびハンドシャワー１５０からの捨て水の量（第３の排水量）を、ヘッドシャワー１４０からの捨て水の量（第４の排水量）よりも少なくすることができる。したがって、図４〜図７に関して前述したように、捨て水の動作を効率的に行い、捨て水の量および動作時間を低減することができる。
【００７６】
さらに、本具体例にかかるシャワー装置１００では、電磁弁１７１、１７２、１７３、１７４を同時に開放して捨て水の動作を開始するため、ボディシャワー１３０、ヘッドシャワー１４０、およびハンドシャワー１５０のそれぞれから排出される捨て水の水量は、図４〜図７に関して前述した具体例の場合よりも低下する。そのため、捨て水の動作の際の水跳ねを低減することができる。これによれば、捨て水の動作により水跳ねした冷水が使用者にかかることを抑制できる。
【００７７】
なお、捨て水の動作時間に関する所定時間（例えば１７秒間および３２秒間）が図４〜図７に関して前述した所定時間（例えば１５秒間および３０秒間）よりも長いのは、ボディシャワー１３０、ヘッドシャワー１４０、およびハンドシャワー１５０のそれぞれから排出される捨て水の水量が低下することを考慮したためである。但し、この所定時間は、これだけに限定されるわけではない。例えば、水量比例弁１７８を制御することにより、図４〜図７に関して前述した具体例と同等の水量で排出することができれば、捨て水の動作時間に関する所定時間を図４〜図７に関して前述した所定時間と同等に設定してもよい。
【００７８】
次に、本実施形態にかかるシャワー装置１００の捨て水の動作のさらに他の具体例について、図面を参照しつつ説明する。  
図９は、本実施形態にかかるシャワー装置の動作のさらに他の具体例を表すフローチャートである。
【００７９】
図８に関して前述した具体例では、分岐部１８１ａ、１８２ａ、１８３ａ、１８４ａからシャワー吐水部（ボディシャワー１３０、ヘッドシャワー１４０、およびハンドシャワー１５０）までの配管経路の長さに応じて適宜設定された動作時間に基づき、電磁弁１７１、１７２、１７３、１７４を個別に閉止し、それぞれの捨て水の動作を個別に終了させる。これに対して、本具体例では、図５〜図７に関して前述した捨て水の動作と同様に、所定温度以上である継続時間が所定時間を経過したときと、捨て水の動作時間が所定時間を経過したときと、のいずれか早いときに電磁弁を閉止して捨て水の動作を終了させる。つまり、捨て水の動作時間だけではなく、導水配管部１８０を導水される水の温度についても判断される。
【００８０】
但し、本具体例においても、電磁弁１７１、１７２、１７３、１７４を同時に全て開放させるため（ステップＳ３０９）、本具体例の動作は、分岐部１８１ａ、１８２ａ、１８３ａ、１８４ａからシャワー吐水部（ボディシャワー１３０、ヘッドシャワー１４０、およびハンドシャワー１５０）までの配管経路の長さが異なる場合に有効である。本具体例の捨て水の動作について、図面を参照しつつ説明する。
【００８１】
図９に表したステップＳ３０１、Ｓ３０３、Ｓ３０５、Ｓ３０７、Ｓ３０９、Ｓ３１１、Ｓ３１３の動作については、図８に関して前述したステップＳ２０１、Ｓ２０３、Ｓ２０５、Ｓ２０７、Ｓ２０９、Ｓ２１１、Ｓ２１３の動作と同様である。
【００８２】
続いて、ボディシャワー１３０、ヘッドシャワー１４０、およびハンドシャワー１５０からの捨て水の終了動作が並列的に行われる（ステップＳ３２０、Ｓ３５０、Ｓ３８０、）。つまり、ボディシャワー１３０、ヘッドシャワー１４０、およびハンドシャワー１５０からの捨て水を終了させるタイミングは、個別的に判断される。そして、図１０〜図１２に関して後述するように、制御部１６０は、捨て水の動作時間だけではなく、導水配管部１８０を導水される水の温度についても判断し、電磁弁１７１、１７２、１７３、１７４を個別に閉止してそれぞれの捨て水の動作を個別に終了させる。
【００８３】
続いて、ボディシャワー１３０、ヘッドシャワー１４０、およびハンドシャワー１５０からの捨て水の動作が終了すると、シャワー装置１００は、ボディシャワー１３０、ヘッドシャワー１４０、およびハンドシャワー１５０の少なくともいずれかからの吐水が可能な待機状態となる（ステップＳ３１５）。
【００８４】
本具体例によれば、捨て水の動作時間だけではなく、導水配管部１８０を導水される水の温度についても判断されるため、いずれかのシャワーから温水が吐水されると、設定された動作時間を経過する前に、そのシャワーからの捨て水の動作を終了することができる。そのため、捨て水の動作をより効率的に行い、捨て水の量動作時間をより低減することができる。さらに、電磁弁１７１、１７２、１７３、１７４を同時に開放して捨て水の動作を開始するため、図８に関して前述した具体例と同様に、捨て水の動作の際の水跳ねを低減することができる。
【００８５】
次に、本具体例のボディシャワー１３０と、ヘッドシャワー１４０と、ハンドシャワー１５０と、からの捨て水の動作の詳細ついて、図面を参照しつつ説明する。  
図１０は、本具体例のボディシャワーからの捨て水の動作を例示するフローチャートである。
【００８６】
本具体例のボディシャワー１３０からの捨て水の終了動作では、捨て水の動作時間に関する所定時間（例えば１７秒間）は、図６に関して前述した具体例のボディシャワー１３０からの捨て水の動作における所定時間（例えば１５秒間）よりも長い（ステップＳ３３２）。また、所定温度以上である継続時間に関する所定時間（例えば７秒間）は、図６に関して前述した具体例のボディシャワー１３０からの捨て水の動作における所定時間（例えば５秒間）よりも長い（ステップＳ３２９、ステップＳ３３０、およびステップＳ３３１）。
【００８７】
これらは、図８に関して前述したように、ボディシャワー１３０、ヘッドシャワー１４０、およびハンドシャワー１５０のそれぞれから排出される捨て水の水量が低下することを考慮したためである。すなわち、電磁弁１７１、１７２、１７３、１７４を同時に開放して捨て水の動作を開始するため、ボディシャワー１３０、ヘッドシャワー１４０、およびハンドシャワー１５０のそれぞれから排出される捨て水の水量は、図４〜図７に関して前述した具体例の場合よりも低下するためである。その他の動作については、図６に関して前述したステップＳ１４７、Ｓ１４８、Ｓ１４９、Ｓ１５０、Ｓ１５１、Ｓ１５２、Ｓ１５３、Ｓ１５４の動作と同様である。
【００８８】
本具体例のボディシャワー１３０からの捨て水の終了動作によれば、所定温度以上である継続時間が所定時間（例えば７秒間）を経過したときと、捨て水の動作時間が所定時間（例えば１７秒間）を経過したときと、のいずれか早いときに電磁弁１７２、１７４が閉止されボディシャワー１３０からの捨て水の動作が終了する。このとき、所定温度以上である継続時間が所定時間（例えば７秒間）を経過したか否かの判断の方が、捨て水の動作時間が所定時間（例えば１７秒間）を経過したか否かの判断よりも優先的に行われる。すなわち、捨て水の水温の方が、捨て水の動作時間よりも優先的に判断される。
【００８９】
そのため、ボディシャワー１３０から温水が吐水されると、設定された動作時間を経過する前に、捨て水の動作を終了することができる。したがって、ボディシャワー１３０からの捨て水の動作をより効率的に行い、捨て水の量および動作時間をより低減することができる。さらに、電磁弁１７１、１７２、１７３、１７４を同時に開放して捨て水の動作を開始するため、図８に関して前述した具体例と同様に、捨て水の動作の際の水跳ねを低減することができる。なお、図５および図８に関して前述したように、ステップＳ３３２における所定時間（例えば１７秒間）と、ステップＳ３２９、ステップＳ３３０、およびステップＳ３３１における所定時間（例えば７秒間）と、については、適宜変更することができる。
【００９０】
図１１は、本具体例のハンドシャワーからの捨て水の動作を例示するフローチャートである。  
本具体例のハンドシャワー１５０からの捨て水の終了動作では、捨て水の動作時間に関する所定時間（例えば１７秒間）は、図７に関して前述した具体例のハンドシャワー１５０からの捨て水の動作における所定時間（例えば１５秒間）よりも長い（ステップＳ３６２）。また、所定温度以上である継続時間に関する所定時間（例えば７秒間）は、図７に関して前述した具体例のハンドシャワー１５０からの捨て水の動作における所定時間（例えば５秒間）よりも長い（ステップＳ３５９、ステップＳ３６０、およびステップＳ３６１）。その他の動作については、図７に関して前述したステップＳ１７７、Ｓ１７８、Ｓ１７９、Ｓ１８０、Ｓ１８１、Ｓ１８２、Ｓ１８３、Ｓ１８４の動作と同様である。
【００９１】
本具体例のボディシャワー１３０からの捨て水の終了動作によれば、所定温度以上である継続時間が所定時間（例えば７秒間）を経過したときと、捨て水の動作時間が所定時間（例えば１７秒間）を経過したときと、のいずれか早いときに電磁弁１７３が閉止されハンドシャワー１５０からの捨て水の動作が終了する。そのため、図１０に関して前述した効果と同様の効果を得ることができる。
【００９２】
図１２は、本具体例のヘッドシャワーからの捨て水の動作を例示するフローチャートである。  
本具体例のヘッドシャワー１４０からの捨て水の終了動作では、捨て水の動作時間に関する所定時間（例えば３２秒間）は、図５に関して前述した具体例のヘッドシャワー１４０からの捨て水の動作における所定時間（例えば３０秒間）よりも長い（ステップＳ３９２）。また、所定温度以上である継続時間に関する所定時間（例えば１７秒間）は、図５に関して前述した具体例のヘッドシャワー１４０からの捨て水の動作における所定時間（例えば１５秒間）よりも長い（ステップＳ３８９、ステップＳ３９０、およびステップＳ３９１）。その他の動作については、図５に関して前述したステップＳ１１７、Ｓ１１８、Ｓ１１９、Ｓ１２０、Ｓ１２１、Ｓ１２２、Ｓ１２３、Ｓ１２４の動作と同様である。
【００９３】
本具体例のヘッドシャワー１４０からの捨て水の終了動作によれば、所定温度以上である継続時間が所定時間（例えば１７秒間）を経過したときと、捨て水の動作時間が所定時間（例えば３２秒間）を経過したときと、のいずれか早いときに電磁弁１７１が閉止されヘッドシャワー１４０からの捨て水の動作が終了する。そのため、図１０に関して前述した効果と同様の効果を得ることができる。
【００９４】
次に、本実施形態にかかるシャワー装置１００の捨て水の動作のさらに他の具体例について、図面を参照しつつ説明する。  
図１３は、本実施形態にかかるシャワー装置の動作のさらに他の具体例を表すフローチャートである。
【００９５】
図８〜図１２に関して前述した具体例では、電磁弁１７１、１７２、１７３、１７４を同時に開放してボディシャワー１３０、ヘッドシャワー１４０、およびハンドシャワー１５０からの捨て水の動作を同時に開始し、一方で、適宜設定された動作時間および所定温度における継続時間の少なくともいずれかに基づき、それぞれの捨て水の動作を個別に終了させる。これに対して、本具体例では、給湯源４１０からの配管経路の長さに応じて電磁弁１７１、１７２、１７３、１７４を個別に開放し、それぞれの捨て水の動作を個別に開始する。そして、制御部１６０は、適宜設定された動作時間が経過すると、電磁弁１７１、１７２、１７３、１７４を同時に閉止し、それぞれの捨て水の動作を同時に終了する。本具体例の捨て水の動作について、図１３に表したフローチャートを参照しつつ説明する。
【００９６】
まず、使用者が操作パネル１２０に表示された「捨て水」スイッチを押すと（ステップＳ４０１）、電磁弁１７１、１７２、１７３、１７４を閉じたままの状態で待機する（ステップＳ４０３およびステップＳ４０５）。この待機動作は、図４に関して前述したステップＳ１０３およびステップＳ１０５の待機動作と同様である。続いて、待機時間が所定時間（例えば１０秒間）を経過した場合には（ステップＳ４０５：ＹＥＳ）、制御部１６０は、捨て水の動作時間のカウントダウンを開始する（ステップＳ４０７）。
【００９７】
続いて、制御部１６０は、給湯源４１０からの配管経路の長さが最も長いヘッドシャワー１４０からの捨て水の動作を開始する（ステップＳ４０９）。すなわち、制御部１６０は、電磁弁１７１を開放する。そして、制御部１６０は、図５に関して前述したステップＳ１１６と同様に、水量比例弁１７８の動作を制御して導水配管部１８０を導水される水の水量を調整し（ステップＳ４１１）、捨て水の動作時間が所定時間（例えば１０秒間）を経過したか否かを判断する（ステップＳ４１３）。
【００９８】
捨て水の動作時間が所定時間（例えば１０秒間）を経過した場合には（ステップＳ４１３：ＹＥＳ）、制御部１６０は、給湯源４１０からの配管経路の長さがヘッドシャワー１４０に次いで長いハンドシャワー１５０からの捨て水の動作を開始する（ステップＳ４１５）。すなわち、制御部１６０は、電磁弁１７３を開放する。続いて、制御部１６０は、捨て水の動作時間が所定時間（例えば１５秒間）を経過したか否かを判断する（ステップＳ４１７）。そして、捨て水の動作時間が所定時間（例えば１５秒間）を経過した場合には（ステップＳ４１７：ＹＥＳ）、制御部１６０は、給湯源４１０からの配管経路の長さが最も短いボディシャワー１３０からの捨て水の動作を開始する（ステップＳ４１９）。すなわち、制御部１６０は、電磁弁１７２、１７４を開放する。
【００９９】
続いて、捨て水の動作時間が所定時間（例えば３０秒間）を経過したか否かを判断し（ステップＳ４２１）、その動作時間が所定時間（例えば３０秒間）を経過した場合には（ステップＳ４２１：ＹＥＳ）、電磁弁１７１、１７２、１７３、１７４を全て閉止する（ステップＳ４２３）。これにより、ボディシャワー１３０、ヘッドシャワー１４０、およびハンドシャワー１５０からの捨て水の動作が同時に終了される。そして、シャワー装置１００は、捨て水の動作を終了させ、ボディシャワー１３０、ヘッドシャワー１４０、およびハンドシャワー１５０の少なくともいずれかからの吐水が可能な待機状態となる（ステップＳ４２５）。
【０１００】
以上説明したように、本具体例にかかるシャワー装置１００は、ボディシャワー１３０、ヘッドシャワー１４０、およびハンドシャワー１５０からの捨て水の動作を個別に開始し、一方で、適宜設定された動作時間が経過すると、それぞれの捨て水の動作を同時に終了する。そのため、ハンドシャワー１５０からの捨て水の動作時間を、ヘッドシャワー１４０からの捨て水の動作時間よりも短縮することができる。すなわち、ハンドシャワー１５０からの捨て水の量を、ヘッドシャワー１４０からの捨て水の量よりも少なくすることができる。さらに、ボディシャワー１３０からの捨て水の動作時間を、ハンドシャワー１５０からの捨て水の動作時間よりも短縮することができる。すなわち、ボディシャワー１３０からの捨て水の量を、ハンドシャワー１５０からの捨て水の量よりも少なくすることができる。
【０１０１】
図１３に例示した所定時間を参照すると、ヘッドシャワー１４０からの捨て水の動作時間は、３０秒間となる。また、ハンドシャワー１５０からの捨て水の動作時間は、２０秒間となる。またさらに、ボディシャワー１３０からの捨て水の動作時間は、１５秒間となる。このように、それぞれのシャワーからの捨て水の動作を開始させるタイミングをずらし、一方で、それぞれの捨て水の動作を同時に終了させることにより、その捨て水の動作を効率的に行い、捨て水の量および動作時間を低減できる。
【０１０２】
次に、操作パネル１２０の表示内容について、図面を参照しつつ説明する。  
図１４は、本実施形態の操作パネルの表示内容について説明する模式図である。  
まず、本実施形態にかかるシャワー装置１００の電源が「入」の状態であって、ボディシャワー１３０、ヘッドシャワー１４０、およびハンドシャワー１５０から水が吐水されていない状態では、操作パネル１２０の表示内容は、図１４に表した「停止」の状態の如くである。
【０１０３】
あるいは、このような状態であっても、所定時間（例えば１０分間）の間に操作パネル１２０が使用者により操作されなかった場合には、図１４に表した「表示ＯＦＦ」の状態に遷移する。一方、図１４に表した「表示ＯＦＦ」の状態において、使用者が操作パネル１２０に触れると、操作パネル１２０の表示内容は、図１４に表した「停止」の状態に遷移する。
【０１０４】
そして、操作パネル１２０の表示内容が「停止」の状態にあるときに、使用者が操作パネル１２０に表示された「捨て水（Cold water redidue）」スイッチを押すと、操作パネル１２０の表示内容は、図１４に表した「捨水」の状態に遷移する。そして、図４、図８、図９、および図１３に関して前述したように、待機時間のカウントダウンが開始される。
【０１０５】
このとき、例えば図１４に表した「捨水」の状態のように、操作パネル１２０は、待機時間のカウントダウンの経過を報知する。つまり、例えば、捨て水が排出されるまでの残り時間が、操作パネル１２０に表示される。これにより、使用者は、捨て水が排出されるタイミングを認識することができ、その捨て水が使用者自身にかかることを回避できる。なお、このとき、音による報知を同時に行うと、使用者は、捨て水が排出されるタイミングを視覚的だけではなく聴覚的にも認識できるため、より効果的である。
【０１０６】
そして、捨て水の動作が終了すると、操作パネル１２０の表示内容は、図１４に表した「待機」の状態に遷移する。つまり、操作パネル１２０の表示内容は、ボディシャワー１３０、ヘッドシャワー１４０、およびハンドシャワー１５０の少なくともいずれかからの吐水が可能な待機状態の表示内容に遷移する。このとき、音による報知を同時に行うと、使用者は、捨て水が終了したタイミングを視覚的だけではなく聴覚的にも認識できるため、より効果的である。さらに、待機時間のカウントダウンの経過を報知する音と、捨て水の動作が終了したことを報知する音と、の音色や大きさや高さなどを互いに相違するように設定すると、使用者はその違いを認識しやいため、より効果的である。
【０１０７】
また、操作パネル１２０の表示内容は、「捨水」の状態において、待機時間のカウントダウンの経過を報知しているとき、あるいは捨て水の動作中に、「Ｏｎ／Ｏｆｆ」スイッチを操作されると、「停止」の状態に遷移する。つまり、使用者は、待機時間のカウントダウン中、あるいは捨て水の動作中であっても、「Ｏｎ／Ｏｆｆ」スイッチを操作することにより、捨て水の動作を停止できる。そして、操作パネル１２０の表示内容は、「停止」の状態において、「Ｏｎ／Ｏｆｆ」スイッチを操作されると、「待機」の状態に遷移する。
【０１０８】
以上説明したように、本実施形態によれば、ボディシャワー１３０、ヘッドシャワー１４０、およびハンドシャワー１５０からの捨て水の開始および終了の少なくともいずれかのタイミングをずらすことができる。そのため、いずれかのシャワーからはすでに温水が吐水されているにもかかわらず、他のいずれかのシャワーからはまだ冷水が吐水されているために、シャワー装置１００の捨て水の動作を終了できないという状態を回避できる。したがって、本実施形態にかかるシャワー装置１００は、捨て水の動作を効率的に行い、捨て水の量および動作時間を低減できる。
【０１０９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、シャワー装置１００などが備える各要素の形状、寸法、材質、配置などやボディシャワー１３０、ヘッドシャワー１４０、およびハンドシャワー１５０の設置形態などは、例示したものに限定されるわけではなく適宜変更することができる。  
また、ボディシャワー１３０、ヘッドシャワー１４０、およびハンドシャワー１５０からの捨て水の動作の順序などは、本発明の特徴を含む限り、例示したものに限定されず適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１０】
１０ 壁面、  １００ シャワー装置、  １０１ 筐体、  １１０ 温調操作部、  １１５ サーモ、  １２０ 操作パネル、  １３０ ボディシャワー、  １４０ ヘッドシャワー、  １５０ ハンドシャワー、  １６０ 制御部、  １７１、１７２、１７３、１７４ 電磁弁、  １７６ 温度センサ、  １７７ 水量センサ、  １７８ 水量比例弁、  １８０ 導水配管部、  １８１、１８２、１８３、１８４、１８５ 分岐配管、  １８１ａ、１８２ａ、１８３ａ、１８４ａ、１８５ａ 分岐部、  １９０ 電源部、  ３１０、３２０ 導水配管部、  ４１０ 給湯源、  ４２０ 給水源
【図１】
2010184071.tif 000003
【図２】
2010184071.tif 000004
【図３】
2010184071.tif 000005
【図４】
2010184071.tif 000006
【図５】
2010184071.tif 000007
【図６】
2010184071.tif 000008
【図７】
2010184071.tif 000009
【図８】
2010184071.tif 000010
【図９】
2010184071.tif 000011
【図１０】
2010184071.tif 000012
【図１１】
2010184071.tif 000013
【図１２】
2010184071.tif 000014
【図１３】
2010184071.tif 000015
【図１４】
2010184071.tif 000016